【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
エンベロープトラッキングトランシーバであって、
入力信号を受信し、増幅された出力信号を生成する電力増幅器を備え、前記電力増幅器は、電力を前記電力増幅器に供給する供給電圧を受けるように構成され、
前記電力増幅器を動作させるために、前記入力信号の推定振幅および圧縮レベルを示すフィードバック信号に基づき、電力供給制御信号を生成するように構成されたルックアップ回路と、
前記電力供給制御信号に基づき、前記供給電圧を前記電力増幅器に提供するように構成された電源と、
受信信号を受信し、前記受信信号の雑音マージンを表す雑音マージン信号を生成するように構成された受信器と、
前記雑音マージン信号に基づき、前記フィードバック信号を生成し、前記雑音マージンの減少を示す前記雑音マージン信号に応答して前記電力供給制御信号のフィルタリングを増強するためのフィルタ制御信号を生成し、前記雑音マージンの増加を示す前記雑音マージン信号に応答して前記電力供給制御信号のフィルタリングを減弱するためのフィルタ制御信号を生成するように構成された設定回路とを備える、エンベロープトラッキングトランシーバ。
【請求項２】
前記雑音マージン信号は、受信器により受信した受信信号の強度を示す受信信号強度指標に依存する、請求項１に記載のエンベロープトラッキングトランシーバ。
【請求項３】
前記雑音マージン信号は、前記受信器が特定の雑音スペックを有する公共安全ネットワークと通信していることを示す公共安全指標に依存する、請求項１に記載のエンベロープトラッキングトランシーバ。
【請求項４】
前記雑音マージン信号は、前記受信信号の誤り率に依存する、請求項１に記載のエンベロープトラッキングトランシーバ。
【請求項５】
前記設定回路は、さらに、前記雑音マージンの増加を示す前記雑音マージン信号に応答して前記電力増幅器の雑音感受性を増強するように、前記電力増幅器のバイアスを調整するためのバイアス制御信号を生成し、前記雑音マージンの減少を示す前記雑音マージン信号に応答して前記電力増幅器の雑音感受性を減弱するように、前記電力増幅器のバイアスを調整するためのバイアス制御信号を生成するように構成されている、請求項１に記載のエンベロープトラッキングトランシーバ。
【請求項６】
前記設定回路は、さらに、前記雑音マージンの減少を示す前記雑音マージン信号に応答して、１つ以上の送信周期において前記供給電圧を一定に維持するように、電源を制御する制御信号を生成するように構成されている、請求項１に記載のエンベロープトラッキングトランシーバ。
【請求項７】
前記設定回路は、前記雑音マージンが増加していることに応答して前記圧縮レベルを増加するためのフィードバック信号を生成し、前記雑音マージンが減少していることに応答して前記圧縮レベルを減少するためのフィードバック信号を生成するように構成されている、請求項１に記載のエンベロープトラッキングトランシーバ。
【請求項８】
エンベロープトラッキングトランシーバであって、
入力信号を受信し、増幅された出力信号を生成する電力増幅器を備え、前記電力増幅器は、電力を前記電力増幅器に供給する供給電圧を受けるように構成され、
前記入力信号の推定振幅に基づき、電力供給制御信号を生成するように構成されたルックアップ回路と、
前記電力供給制御信号に基づき、前記供給電圧を前記電力増幅器に提供するように構成された電源と、
受信信号を受信し、前記受信信号の雑音マージンを表す雑音マージン信号を生成するように構成された受信器と、
前記雑音マージン信号に基づき、前記電力増幅器と前記ルックアップ回路と前記電源とのうち少なくとも１つのパラメータを制御するように、１つ以上の制御信号を生成するように構成された設定回路とを備え、前記１つ以上の制御信号は、前記電源を制御し、前記雑音マージンの減少を示す前記雑音マージン信号に応答して前記電力供給制御信号のフィルタリングを増強し、前記雑音マージンの増加を示す前記雑音マージン信号に応答して前記電力供給制御信号のフィルタリングを減弱するためのフィルタ制御信号を含む、エンベロープトラッキングトランシーバ。
【請求項９】
前記１つ以上の制御信号は、前記雑音マージンが増加していることに応答して前記電力増幅器の電力効率を増加するように、前記パラメータを制御し、
前記１つ以上の制御信号は、前記雑音マージンが減少していることに応答して前記増幅された出力信号を減少するように、前記パラメータを制御する、請求項８に記載のエンベロープトラッキングトランシーバ。
【請求項１０】
前記雑音マージン信号は、受信器により受信した受信信号の強度を示す受信信号強度指標に依存する、請求項８に記載のエンベロープトラッキングトランシーバ。
【請求項１１】
前記雑音マージン信号は、前記受信器が特定の雑音スペックを有する公共安全ネットワークと通信していることを示す公共安全指標に依存する、請求項８に記載のエンベロープトラッキングトランシーバ。
【請求項１２】
前記雑音マージン信号は、前記受信信号の誤り率に依存する、請求項８に記載のエンベロープトラッキングトランシーバ。
【請求項１３】
前記設定回路は、さらに、前記雑音マージンの増加を示す前記雑音マージン信号に応答して前記電力増幅器の雑音感受性を増強するように、前記電力増幅器のバイアスを調整するためのバイアス制御信号を生成し、前記雑音マージンの減少を示す前記雑音マージン信号に応答して前記電力増幅器の雑音感受性を減弱するように、前記電力増幅器のバイアスを調整するためのバイアス制御信号を生成するように構成されている、請求項８に記載のエンベロープトラッキングトランシーバ。
【請求項１４】
エンベロープトラッキングトランシーバであって、
入力信号を受信し、増幅された出力信号を生成する電力増幅器を備え、前記電力増幅器は、電力を前記電力増幅器に供給する供給電圧を受けるように構成され、
前記電力増幅器を動作させるために、前記入力信号の推定振幅および電圧ヘッドルームの量を示すフィードバック信号に基づき、電力供給制御信号を生成するように構成されたルックアップ回路と、
前記電力供給制御信号に基づき、前記供給電圧を前記電力増幅器に提供するように構成された電源と、
前記増幅された出力信号の雑音測度を生成し、前記雑音測度に応答して前記フィードバック信号を生成するように構成されたフィードバック受信器とを備え、前記フィードバック信号は、閾値より下がった前記雑音測度に応答して前記電圧ヘッドルームの量を減少させ、前記閾値を超えた前記雑音測度に応答して前記電圧ヘッドルームの量を増加させる、エンベロープトラッキングトランシーバ。
【請求項１５】
前記フィードバック受信器は、前記入力信号および前記増幅された出力信号を表す信号に基づき、前記雑音測度を決定するように構成されている、請求項１４に記載のエンベロープトラッキングトランシーバ。
【請求項１６】
前記フィードバック受信器は、さらに、前記増幅された出力信号を表す前記信号をダウンサンプリングし、前記ダウンサンプリングされた信号と前記入力信号との比較を実行するように構成されている、請求項１５に記載のエンベロープトラッキングトランシーバ。
【請求項１７】
前記雑音測度は、隣接チャネル電力を表す、請求項１４に記載のエンベロープトラッキングトランシーバ。
【請求項１８】
前記電力増幅器の出力と少なくとも１つのアンテナとの間に結合されるデュプレクサフィルタをさらに備える、請求項１４に記載のエンベロープトラッキングトランシーバ。
【請求項１９】
前記電力増幅器の出力と少なくとも１つのアンテナとの間に結合されるカプラをさらに備え、前記カプラは、結合信号を生成するように構成される、請求項１４に記載のエンベロープトラッキングトランシーバ。
【請求項２０】
フィードバック受信器は、前記入力信号および前記結合信号に依存して前記雑音測度を生成する、請求項１９に記載のエンベロープトラッキングトランシーバ。
【手続補正２】
【補正対象書類名】明細書
【補正対象項目名】００１３
【補正方法】変更
【補正の内容】
【００１３】
図１は、ＥＴシステムを備えるＲＦトランシーバ１００の一実施形態を示している。送信変調器１１０は、デジタル送信信号１０１を生成する。このデジタル送信信号１０１は、ＲＦアップコンバータ１０２によってアップコンバート入力信号１０３にアップコンバートされる。このアップコンバート入力信号１０３は、ＰＡ  １０４の入力端に提供される。ＰＡ  １０４は、アップコンバート入力信号１０３を増幅することにより、増幅ＲＦ信号１０５を生成する。ＰＡ  １０４からの増幅ＲＦ信号１０５は、デュプレクサフィルタ１０６を通過した後、出力信号１０７としてアンテナ１１２に到達する。アンテナ１１２は、さらに、受信信号１１３を受信する。受信信号１１３は、デュプレクサフィルタ１０６を通過した後、受信器１１４に到達する。デュプレクサフィルタ１０６は、増幅ＲＦ信号１０５とアンテナ１１２により受信した受信信号１１３との間にフィルタリングを提供する。カプラ１０８は、出力信号１０７を表す結合信号１１５をフィードバック受信器１１６に提供する。